(57)【特許請求の範囲】
【請求項１】
筐体前面と背面側とに吸い込み口を備え、筐体前面の左右と筐体の上面側とに吹き出し口を備え、筐体内には前面の吸い込み口から吸い込んだ空気を上面側の吹き出し口に送り出す送風手段と、背面側の吸い込み口から吸い込んだ空気を左右の吹き出し口から吹き出す送風手段と、前面の吸い込み口から上面の吹き出し口に至る気流が通過する空気清浄用フィルターを備えていることを特徴とする空気送風器。
【請求項２】
前面吸い込み口から上面吹き出し口への送風と、背面側吸い込み口から左右の吹き出し口への送風とを、軸方向が左右方向となっているクロスフローファンからなる単一の送風手段で行っていることを特徴とする請求項１記載の空気送風器。
【請求項３】
背面側の吸い込み口は、筐体の背面に設けられるとともに端部が筐体の側面に至る溝内に設けられていることを特徴とする請求項１記載の空気送風器。
【請求項４】
背面側の吸い込み口は、筐体の側面にも開口するものとして形成されていることを特徴とする請求項１記載の空気送風器。
【請求項５】
背面側の吸い込み口には背方へと突出するカバーが付設されていることを特徴とする請求項１記載の空気送風器。
【請求項６】
カバーは着脱自在とされているとともにフィルターを備えていることを特徴とする請求項５記載の空気送風器。
【請求項７】
クロスフローファンである送風手段は、前面吸い込み口から上面吹き出し口への空気流の送風部と、背面側吸い込み口から左右の吹き出し口への空気流の送風部とを軸方向に仕切る隔壁を備えていることを特徴とする請求項２記載の空気送風器。
【発明の詳細な説明】
【０００１】
【産業上の利用分野】
本発明は卓上に設置されるような空気送風器、特に空気清浄用フィルターを備えたものに関する。
【０００２】
【従来の技術】
空気清浄用フィルターを備えた空気送風器である空気清浄器は、従来、単一の吸い込み口及び単一の吹き出し口を備えたものとして形成されている。
【０００３】
【発明が解決しようとする課題】
この場合、煙草の煙を吸い込むことができる能力が低く、また吹き出し口からの風が煙草の煙を拡散させてしまったり、外乱風による煙草の煙の拡散を防ぐことができず、このために煙草の煙の迅速な捕集という点で難があった。
【０００４】
本発明はこのような点に鑑み為されたものであり、その目的とするところは煙草の煙の拡散を抑えることができる空気送風器を提供するにある。
【０００５】
【課題を解決するための手段】
しかして本発明は、筐体前面と背面側とに吸い込み口を備え、筐体前面の左右と筐体の上面側とに吹き出し口を備え、筐体内には前面の吸い込み口から吸い込んだ空気を上面側の吹き出し口に送り出す送風手段と、背面側の吸い込み口から吸い込んだ空気を左右の吹き出し口から吹き出す送風手段と、前面の吸い込み口から上面の吹き出し口に至る気流が通過する空気清浄用フィルターを備えていることに特徴を有している。
【０００６】
【作用】
本発明によれば、筐体の前面左右及び上面側に夫々設けた吹き出し口から吹き出される風がエアカーテンを構成して、外乱気流による煙草の煙の拡散を防ぐとともにこの煙の吸い込み口からの吸い込みを確実とすることができ、しかも前面の吸い込み口から上面側の吹き出し口に至る気流が通過する空気清浄用フィルターを設けて、煙草の煙粒子の捕獲を行い、左右の吹き出し口から吹き出すための風を吸い込む吸い込み口を背面側に設けているために、フィルターの再放出臭などに関する問題を少なくすることができる。
【０００７】
この時、前面吸い込み口から上面吹き出し口への送風と、背面側吸い込み口から左右の吹き出し口への送風とを、軸方向が左右方向となっているクロスフローファンからなる単一の送風手段で行うならば、簡略な構造で２種の空気流を得られることになる。
【０００８】
背面側の吸い込み口は、筐体の背面に設けられるとともに端部が筐体の側面に至る溝内に設けたり、筐体の側面にも開口するものとしたり、背方へと突出するカバーを付設したりすれば、壁等に背面を密着させて設置した時も背面側の吸い込み口からの吸い込みを確保することができる。
【０００９】
【実施例】
以下本発明を図示の実施例に基づいて詳述すると、図１〜図３において、１は筐体であり、その前面上部には横長の吸い込み口２が設けられており、前面左右の上部には夫々縦長の吹き出し口３，３が設けられており、さらに筐体１上面の後部側にも吹き出し口３が設けられている。また、筐体１の背面側には吸い込み口２０が設けられている。そして筐体１内には、吸い込み口２，２０から吸い込んだ空気を各吹き出し口３，３，３に向けて送り出す送風ファン４を備えている。
【００１０】
この空気送風器においては、各吹き出し口３，３，３から吹き出す風が、筐体１の前方空間を囲むエアカーテンを形成して、外乱気流が空気送風器の前方空間に流れ込むことを防ぐ。従って、筐体１の前方空間に喫煙者がいる場合、外乱気流による煙草の煙の拡散を上記吹き出し風によって防ぐバリア効果を得られるものであり、また吸い込み口２から煙を吸い込むことを確実にする。そして、この空気送風器は、吸い込み口２と送風ファン４との間に空気清浄用フィルター５を配しているために、煙草の煙を捕集することができるとともに高い捕集効率を得ることができ、煙草の煙が隣人に迷惑を及ぼすことを防ぐことになる。
【００１１】
前面の吸い込み口２を筐体１の前面上部に設けているのは、机上の灰皿に置かれた煙草から立ち上がる副流煙を吸い込み口２に向かう吸い込み風に乗せることができ、このために副流煙の吸い込みが容易となるからであり、この時、吸い込み口２の吸い込み風速を１ｍ／秒以上としておくと、上昇速度が０．１〜０．２ｍ／秒程度である副流煙の吸い込みを確実に行うことができるものとなる。吸い込み口２を筐体１の前面の全面に設けるのではなく、横に細長くして小さくしているのは、吸い込み風量が少なくとも吸い込み風速を速くすることができるからである。
【００１２】
また、前面の吸い込み口２の吸い込み風速と、前面左右の吹き出し口３，３の吹き出し風速との風速比は１：１〜４としておくことが好ましい。吹き出し風速をこれより遅くすると、空調風等の外乱風の影響を受けやすくなって吸い込み効率が悪くなり、吹き出し風速をこれより速くすると、煙が吹き出し風の流れに引き込まれて拡散してしまうことが多くなるからであり、上記範囲に設定することで、煙の吸い込み効率を高いレベルに維持することができる。
【００１３】
ここにおいて、この空気送風器では、空気清浄用フィルター５の再放出臭の問題を避けるために、筐体１の背面側に設けた吸い込み口２０から吸い込んだ空気を前面左右の吹き出し口３，３から吹き出している。吸い込み口２から吸い込むとともに空気清浄用フィルター５を通過した空気は上面側の吹き出し口３からだけ吹き出すようにし、前面左右の吹き出し口３，３からは空気清浄用フィルター５を通過していない風が吹き出すようにしているわけである。
【００１４】
この時、送風ファン４として、軸方向が左右方向となっているクロスフローファンを用い、各吹き出し口３間を仕切り板１６で仕切っておけば、単一の送風ファン４によって、吸い込み口２から上面の吹き出し口３への送風と、吸い込み口２０から前面左右の吹き出し口３，３への送風とを行うことができる。特に、送風ファン４であるクロスフローファンそのものにも図１３に示すように、上記仕切り板１６と同じ位置となるところに軸方向の空気の流れを阻止する隔壁４０を設けておけば、上記２種の空気流が混ざってしまうことがなくなるために、空気清浄用フィルター５の再放出臭が左右の吹き出し口３から吹き出す気流に混じってしまうことをより確実に防ぐことができる。
【００１５】
上面に配する吹き出し口３は後部寄りに設けることが望ましい。前面の吸い込み口２へと吸い込まれる風との相互影響を避けることができるからである。筐体１の下部内に配した送風ファン４から筐体１の後部上面に配した吹き出し口３に至る空気流路を、図３に示すように、筐体１の背板に沿った上下方向に直線状に延びる長いものとしているのも、上方へと吐出される気流の指向性を高めてエアカーテンの形成に有利とするためである。
【００１６】
前面上部の吸い込み口２と前面左右の吹き出し口３とは所定の距離Ｌだけ離しておく。これは、吸い込み口２における吸い込み風と、前面左右の吹き出し口３，３から吹き出す吹き出し風とによって、渦が生じてしまうのを防ぐためであり、上記距離Ｌの確保で渦の発生を防ぐことで、吸い込み実感を向上させることができる。なお、上記距離Ｌは吸い込み風の風速と吹き出し風の風速とによって変わってくるが、吸い込み風速が０．７ｍ／ｓ、吹き出し風速が１ｍ／ｓである時、距離Ｌを２０ｍｍとした時、良好な結果を得ることができた。
【００１７】
図４に示す実施例は、筐体１の前面左右に配した吹き出し口３，３を夫々筐体１の上下方向ほぼ全長にわたる縦長のものとして、左右のエアカーテンがより確実に形成され、このために机の上にただよう副流煙などが隣人に影響を及ぼしてしまうのを防ぐようにしたものを示しており、また図５に示す実施例は、筐体１の上面後部側に配した吹き出し口３をその内部に放射状に広がるガイド３０を備えたものとし、この吹き出し口３から吹き出される風が左右方向の広範囲に広がるようにして、煙が漏れてしまうのを防ぐようにしたものを示している。
【００１８】
図６に示すものは、筐体１の上面後部側に配した吹き出し口３の後面側に斜め上方向きの風向調節板３９を設けることで、吹き出し風が斜め前方寄りの上方に向くようにしたものを示している。この場合、吸い込む風の巻き込みによって煙の吸引効果の向上を図っており、筐体１後方への煙の漏れも少なくなる。
【００１９】
図７に示すように、吸い込み口２の高さを上面側の吹き出し口３より高くすれば、吸い込み口２に吸い込まれずに上面吹き出し口３側に流れてしまう煙が少なくなり、煙の吸い込み効率が高くなる。
【００２０】
図８に示す実施例は、筐体１の吸い込み口２の下方側部分を着脱自在とするとともに、この時、空気清浄用フィルター５も取り外すことができるようにしたものを示している。この場合、空気清浄用フィルター５の交換や洗浄に際して、最も汚れやすい部分である吸い込み口２の内面を露出させることができるために、掃除が容易となるものであり、また、取り外せる部分については丸洗いも可能となる。
【００２１】
図９〜図１１に示すものは、前面左右の吹き出し口３，３を回転自在な筒体３１に形成したスリットとして設けて、吹き出し方向を正面方向から側方に至るまで変えることができるようにしているとともに、吹き出し口３に配したルーバー３３の調節で上下方向に風向調節も行えるようにしている。図１１中の３４は各ルーバー３３を連動させるための連結片である。この場合、空気送風器が置かれる場所と喫煙者との位置関係を問わずに利用することができる。図１０(a)(b)に示す吹き出し方向調節を正面から側方に至るまでのほぼ９０°の角度で可能とするならば、喫煙者側とその向かい側の人との間にエアカーテンを形成することを確実に行える。吹き出しを停止（図１０(c)）させることもできるようにしておくことが望ましい。設置場所と喫煙者との位置関係から、どうしても吹き出し風が人に当たってしまう場合があっても、その方向に対する吹き出しを停止することで、ドラフト感の低減を図ることができるとともに、喫煙者後方への煙の影響をなくすことができる。
【００２２】
図１２に示すように、筐体１の前面左右に回転自在に配置する筒体３１に、幅の異なるスリット３５，３６を形成して、対称位置にあるスリット３５，３６のうちの一方のみを吹き出し口３とすることができるようにしておけば、吹き出し口３として、どちらのスリット３５，３６を用いるかによって、吹き出し風の風速を調節することができるものとなる。もちろん、このものにおいても、筒体３１の回転により風向調節が可能であり、各スリット３５，３６に上記ルーバー３３を配置しておけば、上下の風向調節も可能である。なお、送風ファン４からの風は筒体３１の下端開口から筒体３１内に入り、スリット３５，３６である吹き出し口３から吹き出す。
【００２３】
ところで、吸い込み口２からの空気の吸い込み力の増大については、図１４に示すように、複数の送風ファン４を左右方向に並べて各送風ファン４の回転数に差を持たせることが有効である。吸い込み口から吸い込む空気の風速ｖ１，ｖ２，ｖ３が左右方向において異なることで生じる気流が、吸い込み口２に流入する空気の流れを効率的なものとする。なお、送風ファン４が単一であっても、フィルター５の圧損差や送風経路による圧損差によって、吸い込み口２における吸い込み力を左右方向において異ならせることが可能である。
【００２４】
図１５〜図１８に示す実施例は、下部内にクロスフローファンである送風ファン４を収めた筐体１の前面上部に横長の吸い込み口２を、前面左右にルーバー３３を有する回転自在な筒体３１に形成したスリットからなる風向調節自在な吹き出し口３，３を、筐体１背面の背方へと突出させた膨出部１０の上面に上方への吹き出し用の吹き出し口３を、更に膨出部１０の背面に吸い込み口２０を設けたもので、上記送風ファン４は、前面上部の吸い込み口２から吸い込むとともにフィルター５を通過させた空気を後部上面の吹き出し口３から吐出し、背面の吸い込み口２０から吸い込んだ空気を左右の風向調節機能を有する吹き出し口３，３から吐出する。左右の吹き出し口３の左右方向の風向調節は、筒体３１に設けたつまみ３８を操作することで行う。尚、つまみ３８を最も外側の位置まで操作すれば、筒体３１に設けたスリットが筐体１内に隠れるために、この吹き出し口３は閉塞される。筒体３１に設けられたつまみ３８は、筐体１に設けた長孔１６を通じて外部に突出しているために、その操作範囲が長孔１６の範囲に限定されたものとなっている。つまり、つまみ３８は筒体３１の回動範囲を限定するストッパーとしても機能しているものであり、またつまみ３８は、風向調節範囲を利用者に対して明確にする存在ともなっている。
【００２５】
図１５に示すフード２５は、左右両端に備えたフック２６，２６によって筐体１の前面上部の吸い込み口２に着脱自在とされたもので、吸い込み口２に装着された時には、前方上方からの吸い込みを規制することで、図に示すように、机上の煙草の煙りの誘引をより確実なものとする。
【００２６】
筐体１の後部上面の吹き出し口３は、前述のように筐体１の背面に設けた膨出部１０の上面に設けているが、この膨出部１０は、その左右幅が筐体１より小さい上に、高さも筐体１より低くなっており、吹き出し口３から吹き出す風は、筐体１の上部背面に沿って上方へと流れる。吹き出し口３を下げているために、筐体１の一部を風向調節板として利用することができるようになっているわけである。また、図１６に示すように、膨出部１０の上端の背面側から立ち上がる風向調節板３９を設けておけば、上方へと吹き出す風の指向性をより高くすることができる。この風向調節板３９は、固定的に配されたものでもよいが、膨出部１０の上端背面側の部分を軸として前方に回転自在としておけば、不使用時に吹き出し口３を風向調節板３９で覆うことができ、筐体１内への埃の侵入を防ぐことができるとともに、長期間使用せずにいて久しぶりに使用したとしても、吹き出し口３から埃を巻き上げてしまうことがないものとなる。風向調節板３９はその開閉が手動でなされるものであってもよいが、送風ファン４の運転に連動して電動あるいは風圧によって自動開閉するものが望ましい。
【００２７】
更に、背面側の吸い込み口２０であるが、この吸い込み口２０は、膨出部１０の背面を左右方向に走るとともに両端が膨出部１０の両側面に至る溝１１の奥に設けてある。膨出部１０の背面を壁やパーティション等に密着させた状態でも、溝１１を通じて吸い込み口２０へと空気が流れるために、吸い込み口２０の機能が損なわれてしまうことがないものである。溝１１の深さは１mmあればその効果を期待することができるが、より深いものであることが好ましいのはもちろんであり、吸い込み口２０自体を図１９に示すように、膨出部１０の左右両側面にも開口するものとして設けてもよい。この場合、壁面等に密着させて設置した場合の吸い込み口２０へと至る空気の流れに対する抵抗がより少なくなる。
【００２８】
図２０(a)あるいは図２０(b)に示すようなカバー２７をフック２８の利用で吸い込み口２０に装着することによって、壁等に密着させて設置することができなくなるようにすることで、吸い込み口２０からの吸い込みが阻害されることがないようにしてもよい。このカバー２７としては、図に示すように、下向きに開口するものが好ましい。吸い込み口２０からの埃の侵入が少なくなる上に、吸い込み口２０が埃によって汚れても、カバー２７が吸い込み口２０を隠しているために、背方から筐体１を見た場合の汚れによる見苦しさをなくすことができる。図２０(b)に示すカバー２７は、吸い込み口２０側となるところに筐体１内への埃の侵入を防ぐフィルター２９を設けたものである。
【００２９】
ところで、この空気送風器（清浄器）は、喫煙者の煙が広がることを防ぐためのものであり、従って運転を指示する者が、前方に位置する喫煙者ではなく、他の非喫煙者である場合が想定される。このために、図２１に示すように、筐体１前面に操作スイッチＳＷ及び動作表示ランプ６１を設けるだけでなく、無線または有線によって接続された操作器７を別途設けて、この操作器７にも操作スイッチＳＷ及び動作表示ランプ６１を設けることが好ましい。図中７１は操作器７を電話台等に固定するためのクリップである。また、空気清浄用フィルター５の汚れ具合を表示するための表示部８を、図２２に示すように、筐体１の前面と左右両側面並びに背面に夫々設置すれば、図２３に示すように、各方向からフィルター５の汚れ具合のチェックを行うことができる。図中Ｄは机である。
【００３０】
事務所のような広域スペースで且つ空調等の換気が整備されている場合、上記空気送風器（清浄器）は、喫煙中のみ動作するような形態で十分である。しかし、家庭のような狭空間においては喫煙が始まったために運転を開始すれば、所定時間経過後も、低速での連続運転を行うようになっていることが好ましい。図２４及び図２５はこの点に鑑みたもので、スイッチＳＷを１回押せば、カウンタＣのＨレベル出力でタイマーＴとトランジスタＱ1を通じて送風ファン４のモータ４０に通電される。そしてタイマーＴがタイムアップ（限時時間は煙草の１服に要する時間程度）すれば、トランジスタＱ1がオフするわけであるが、切換スイッチＳが接点Ａ側にある時、つまり家庭用にセットされている時には、トランジスタＱ1のオフの後は、トランジスタＱ2がオンし、分圧抵抗Ｒを介してモータ４０が低速運転を続ける。しかし、切換スイッチＳが接点Ｂ側（事務所側）にある時は、上記タイマーＴのタイムアップに伴って運転が終了する。なお、このものでは、スイッチＳＷを連続して２回押せば連続運転に、さらにスイッチＳＷを押せば停止となるようにしてある。
【００３１】
【発明の効果】
以上のように本発明においては、筐体の前面左右及び上面側に夫々設けた吹き出し口から吹き出される風がエアカーテンを構成して、外乱気流による煙草の煙の拡散を防ぐとともにこの煙の吸い込み口からの吸い込みを確実とするものであり、煙による迷惑を防ぐことができる。
【００３２】
そして、前面の吸い込み口から上面側の吹き出し口に至る気流が通過する空気清浄用フィルターを設けていることから、煙草の煙粒子の捕獲は前面の吸い込み口から吸い込むことで行い、左右の吹き出し口からは背面側の吸い込み口から吸い込んだ空気を吹き出すために、フィルターの再放出臭があってもこれは上方へと向かうものであり、隣人との間のエアカーテンを構成する左右の吹き出し口からはフィルターの再放出臭がないものであり、このためにフィルターの再放出臭などに関する問題を少なくすることができて、より好ましいものを得ることができる。
【００３３】
この時、前面吸い込み口から上面吹き出し口への送風と、背面側吸い込み口から左右の吹き出し口への送風とを、軸方向が左右方向となっているクロスフローファンからなる単一の送風手段で行うならば、２種の空気流を得られるにもかかわらず、送風手段が単一で済むために、コスト的に有利となる。
【００３４】
背面側の吸い込み口は、筐体の背面に設けられるとともに端部が筐体の側面に至る溝内に設けたり、筐体の側面にも開口するものとしたり、背方へと突出するカバーを付設したりするものとしておけば、壁等に背面を密着させて設置した時も背面側の吸い込み口からの吸い込みを確保することができて、左右の吹き出し口から吐出するバリア風を常に確実に得られることになる。
【図面の簡単な説明】
【図１】  一実施例の斜視図である。
【図２】  (a)は断面図、(b)は横断面図である。
【図３】  同上の断面図である。
【図４】  他例の斜視図である。
【図５】  同上の上面側の吹き出し口の破断斜視図である。
【図６】  別の例の断面図である。
【図７】  さらに別の例の断面図である。
【図８】  他例の断面図である。
【図９】  別の例の斜視図である。
【図１０】  (a)(b)(c)は同上の左右の吹き出し口の動作を示す斜視図である。
【図１１】  同上のルーバを示すもので、(a)は斜視図、(b)(c)(d)は動作説明図である。
【図１２】  左右の吹き出し口の他の例の斜視図である。
【図１３】  同上の送風ファンの斜視図である。
【図１４】  吸い込み風速を左右方向において異ならせた例における概略図である。
【図１５】  他の実施例の斜視図である。
【図１６】  同上の側面図である。
【図１７】  同上の背面図である。
【図１８】  同上の破断平面図である。
【図１９】  同上の他例の背面図である。
【図２０】  (a)(b)は夫々背面吸い込み口用のフードの斜視図である。
【図２１】  別の実施例の斜視図である。
【図２２】  (a)(b)はさらに他の実施例の斜視図である。
【図２３】  同上の表示窓の視認性の説明図である。
【図２４】  別の実施例の回路図である。
【図２５】  同上の斜視図である。
【符号の説明】
２  吸い込み口
３  吹き出し口
２０  吸い込み口
【図１】
0003666030.tif 000002
【図２】
0003666030.tif 000003
【図３】
0003666030.tif 000004
【図４】
0003666030.tif 000005
【図５】
0003666030.tif 000006
【図６】
0003666030.tif 000007
【図７】
0003666030.tif 000008
【図８】
0003666030.tif 000009
【図９】
0003666030.tif 000010
【図１０】
0003666030.tif 000011
【図１１】
0003666030.tif 000012
【図１２】
0003666030.tif 000013
【図１３】
0003666030.tif 000014
【図１４】
0003666030.tif 000015
【図１５】
0003666030.tif 000016
【図１６】
0003666030.tif 000017
【図１７】
0003666030.tif 000018
【図１８】
0003666030.tif 000019
【図１９】
0003666030.tif 000020
【図２０】
0003666030.tif 000021
【図２１】
0003666030.tif 000022
【図２２】
0003666030.tif 000023
【図２３】
0003666030.tif 000024
【図２４】
0003666030.tif 000025
【図２５】
0003666030.tif 000026